(57)【要約】【課題】断熱材の厚みからはみ出すことなく、気密性を保つことができる自動販売機の断熱仕切板を提供すること。【解決手段】パッキン１２を装着した発泡断熱材１１からなる自動販売機の断熱仕切板１０において、パッキン１２に、発泡断熱材１１に装着する差込装着部１６と、発泡断熱材１１の両側表面を押圧する押圧部１７とを形成したので、パッキン１２が発泡断熱材１１の厚みからはみ出すことがなく、しかも、パッキン１２を発泡断熱材１１に容易に装着できる。【選択図】        図２
2005085038.tif 000002
【特許請求の範囲】
【請求項１】
パッキンを装着した発泡断熱材からなる自動販売機の断熱仕切板において、
前記パッキンに、
発泡断熱材に装着する差込装着部と、
発泡断熱材の両側表面を押圧する押圧部と
を形成したことを特徴とする自動販売機の断熱仕切板。
【請求項２】
前記パッキンに発泡断熱材からの離脱を防止する離脱防止部を形成したことを特徴とする請求項１に記載の自動販売機の断熱仕切板。
【請求項３】
発泡断熱材と、該発泡断熱材の外表面に貼着した面材とを有する自動販売機の断熱仕切板において、
前記発泡断熱材の端部から前記面材を延出させてパッキン部を形成し、
前記パッキン部の復元力により気密にすることを特徴とする自動販売機の断熱仕切板。
【請求項４】
前記パッキン部は延出した面材を折り畳んで形成したことを特徴とする請求項３に記載の自動販売機の断熱仕切板。
【請求項５】
発泡断熱材とパッキンとを有する自動販売機の断熱仕切板において、
前記発泡断熱材と前記パッキンとを一体成型したことを特徴とする自動販売機の断熱仕切板。
【請求項６】
下面となる面材にパッキンを載置する第１工程と、発泡液と上面となる面材とを供給して発泡液を発泡させる第２工程と、断熱仕切板を切り出す第３工程とを有し、パッキンと断熱材とを一体成型することを特徴とする自動販売機の断熱仕切板の製造方法。
【請求項７】
前記第１工程は、パッキンと補助部材とを予め組み合わせて、下面となる面材に載置することを特徴とする請求項６に記載の自動販売機の断熱仕切板の製造方法。
【請求項８】
発泡断熱材と、該発泡断熱材の外表面に貼着した面材とを有する自動販売機の断熱仕切板において、
前記発泡断熱材の端部から延出した面材と接合したパッキンを有することを特徴とする自動販売機の断熱仕切板。
【発明の詳細な説明】
【技術分野】
【０００１】
本発明は、自動販売機の断熱仕切板、及び自動販売機の断熱仕切板の製造方法に関し、特に、リサイクルに適した自動販売機の断熱仕切板、及び自動販売機の断熱仕切板の製造方法に関するものである。
【背景技術】
【０００２】
軽量でリサイクルに適した自動販売機の断熱仕切板として、気密用パッキンを備えたガイド部材を一辺に取り付けた断熱材により構成した自動販売機の断熱仕切板が提案されている（例えば、特許文献１参照）。
【０００３】
【特許文献１】特開２００１−２３０２７号公報
【発明の開示】
【発明が解決しようとする課題】
【０００４】
しかしながら、このガイド部材と断熱材とは、ガイド部材に形成した断面コの字状の溝部に断熱材を挿入して接着固定するため、ガイド部材の幅を断熱材の厚みよりも大きなものにする必要がある。このように、ガイド部材の幅が断熱材の厚みよりも大きいものにすると、自動販売機の設計上の制約となり、ガイド部材と近傍の部品とが干渉しないように配慮しなければならない。
【０００５】
本発明は、上記実情に鑑みて、断熱材の厚みからはみ出すことなく、気密性を保つことができる自動販売機の断熱仕切板、及び自動販売機の断熱仕切板の製造方法を提供することを目的とする。
【課題を解決するための手段】
【０００６】
上記の目的を達成するために、本発明の請求項１に係る自動販売機の断熱仕切板は、パッキンを装着した発泡断熱材からなる自動販売機の断熱仕切板において、前記パッキンに、発泡断熱材に装着する差込装着部と、発泡断熱材の両側表面を押圧する押圧部とを形成したことを特徴とする。
【０００７】
また、本発明の請求項２に係る自動販売機の断熱仕切板は、上記請求項１において、前記パッキンに発泡断熱材からの離脱を防止する離脱防止部を形成したことを特徴とする。
【０００８】
また、本発明の請求項３に係る自動販売機の断熱仕切板は、発泡断熱材と、該発泡断熱材の外表面に貼着した面材とを有する自動販売機の断熱仕切板において、前記発泡断熱材の端部から前記面材を延出させてパッキン部を形成し、前記パッキン部の復元力により気密にすることを特徴とする。
【０００９】
また、本発明の請求項４に係る自動販売機の断熱仕切板は、上記請求項３において、前記パッキン部は延出した面材を折り畳んで形成したことを特徴とする。
【００１０】
また、本発明の請求項５に係る自動販売機の断熱仕切板は、発泡断熱材とパッキンとを有する自動販売機の断熱仕切板において、前記発泡断熱材と前記パッキンとを一体成型したことを特徴とする。
【００１１】
また、本発明の請求項６に係る自動販売機の断熱仕切板の製造方法は、下面となる面材にパッキンを載置する第１工程と、発泡液と上面となる面材とを供給して発泡液を発泡させる第２工程と、断熱仕切板を切り出す第３工程とを有し、パッキンと断熱材とを一体成型することを特徴とする。
【００１２】
また、本発明の請求項７に係る自動販売機の断熱仕切板の製造方法は、上記請求項６において、前記第１工程は、パッキンと補助部材とを組み合わせて、下面となる面材に載置することを特徴とする。
【００１３】
また、本発明の請求項８に係る自動販売機の断熱仕切板は、発泡断熱材と、該発泡断熱材の外表面に貼着した面材とを有する自動販売機の断熱仕切板において、前記発泡断熱材の端部から延出した面材と接合したパッキンを有することを特徴とする。
【発明の効果】
【００１４】
本発明にかかる自動販売機の断熱仕切板は、パッキンに、発泡断熱材と接合する差込装着部と、発泡断熱材を両側表面から押圧する押圧部とを形成したので、パッキンが発泡断熱材の厚みからはみ出すことがなく、しかも、パッキンを発泡断熱材に容易に装着できるという効果を奏する。
【００１５】
また、パッキンに、発泡断熱材からの離脱を防止する離脱防止部を形成したので、発泡断熱材に装着したパッキンは簡単に離脱することがないという効果を奏する。
【００１６】
本発明に係る自動販売機の断熱仕切板は、発泡断熱材の端部から面材を延出させてパッキン部を形成し、パッキン部の復元力により気密にするので、パッキン部が発泡断熱材の厚みからはみ出すことがないという効果を奏する。
【００１７】
本発明に係る自動販売機の断熱仕切板は、発泡断熱材とパッキンとを一体成型したので、発泡断熱材が接着剤の機能を果たし、パッキンの発泡断熱材からの離脱を防止できるという効果を奏する。
【００１８】
本発明に係る自動販売機の断熱仕切板の製造方法は、パッキンと断熱材とを一体成型した断熱仕切板を得ることができるという効果を奏する。
【００１９】
また、パッキンと補助部材とを予め組み合わせて、下面となる面材に載置するので、確実に所定の位置にパッキンを載置できるという効果を奏する。
【００２０】
また、本発明に係る自動販売機の断熱仕切板は、発泡断熱材の端部から延出した面材と接合したパッキンを有するので、パッキンが発泡断熱材の厚みからはみ出すことがないという効果を奏する。
【発明を実施するための最良の形態】
【００２１】
以下に添付図面を参照して、本発明に係る自動販売機の断熱仕切板の好適な実施例を詳細に説明する。なお、この実施例によりこの発明が限定されるものではない。
【００２２】
図１は、本発明に係る自動販売機の断熱仕切板を適用する自動販売機の斜視図である。
【００２３】
本発明に係る自動販売機の断熱仕切板を適用する自動販売機は、図１に示すように、断熱構造をした本体キャビネット１と、本体キャビネット１の前面開口部を閉塞する外扉２とを有している。また、本体キャビネット１は、本発明に係る自動販売機の断熱仕切板１０（２０，３０，５０）により、複数の収容室３，４，５に画成してあり、本体キャビネット１と外扉２との間には、収容室３，４，５の一部を閉塞し、断熱効果を奏する内扉６が開閉可能に設けてある。
【実施例１】
【００２４】
まず、実施例１に係る自動販売機の断熱仕切板について説明する。なお、図２は、パッキンを断熱材に装着した自動販売機の断熱仕切板を示す図、図３は、実施例１に係る自動販売機の断熱仕切板の断面図、図４は、図３に示した自動販売機の断熱仕切板の組立手順を示す図、図５−１は、実施例１の自動販売機の断熱仕切板に適用する断熱材の変形例１を示す断面図、図５−２は、実施例１の自動販売機の断熱仕切板に適用する断熱材の変形例２を示す断面図、図６−１は、実施例１の自動販売機の断熱仕切板に適用するパッキンの変形例１を示す断面図、図６−２は、実施例１の自動販売機の断熱仕切板に適用するパッキンの変形例２を示す断面図、図６−３は、実施例１の自動販売機の断熱仕切板に適用するパッキンの変形例３を示す断面図である。
【００２５】
実施例１に係る自動販売機の断熱仕切板１０は、図２に示すように、パネル状に形成した発泡断熱材１１に、内扉６のような相手側部材と密着して収容室３，４，５を気密にするパッキン１２を装着したものである。発泡断熱材１１は、発泡ウレタン樹脂のような硬質発泡体により形成してあり、図３に示すように、発泡断熱材１１の両側表面には、ポリエチレンシート等の面材１３が貼着してある。
【００２６】
発泡断熱材１１に装着するパッキン１２は、軟質部１４と硬質部１５とを有している。軟質部１４は、相手側部材と当接して収容室を気密にする密着部となり、復元力を有する弾性体により形成してある。硬質部１５は、差込装着部１６と、押圧部１７とを形成し、差込装着部１６は、発泡断熱材１１に差し込んでパッキン１２を装着する部分となり、押圧部１７は、発泡断熱材１１の両側表面を押圧する部分となる。差込装着部１６は、先端から後方に順次幅広となるように鋭角に形成してあり、発泡断熱材１１に差し込みやすくなっている。押圧部１７は、発泡断熱材１１の厚みとほぼ同一の幅と、発泡断熱材１１の内側に傾斜する斜面１７ａとを有している。
【００２７】
また、差込装着部１６には、離脱防止部１８が形成してある。離脱防止部１８は、差込装着部１６のくびれた部位であり、発泡断熱材１１からパッキン１２の離脱を防止する。
【００２８】
次に、このように形成したパッキン１２を発泡断熱材１１に装着する装着手順について説明する。まず、図４（ａ）に示すように、差込装着部１６を発泡断熱材１１の断面ほぼ中央に位置させ、パッキン１２を少しずつ押し込む。すると、図４（ａ）に示すように、差込装着部１６が発泡断熱材１１に差し込まれ、やがて、押圧部１７の斜面１７ａと発泡断熱材１１とが当接する。さらに、パッキン１２を押し込むと、図４（ｂ）に示すように、押圧部１７が発泡断熱材１１を両側表面から漸次押圧し、発泡断熱材１１の端部が徐々にすぼめられる。そして、差込装着部１６が発泡断熱材１１にすべて差し込まれると、図４（ｃ）に示すように、断熱仕切板１０が完成する。
【００２９】
なお、発泡断熱材は、図５−１、又は図５−２に示すように、予め端部を押圧してすぼめておき、パッキン１２の装着を容易にしてもよい。
【００３０】
また、パッキン１２の形状は、上述したものに限られず、図６−１に示すように、差込装着部１６´が離脱防止部１８から根元部に向けて順次幅狭となるものであっても良く、図６−２に示すように、離脱防止部１８´を押圧部１７に形成しても良い。また、差込装着部１６は、必ずしもパッキン１２の中央に形成する必要はなく、図６−３に示すように、差込装着部１６´を押圧部１７の一方の側に偏らせて設けても良い。
【００３１】
また、差込装着部１６と押圧部１７とは、パッキン１２の長手方向全域に形成する必要はなく、所定の間隔を有して形成しても良い。
【００３２】
実施例１に係る自動販売機の断熱仕切板１０によれば、パッキン１２に、発泡断熱材１１に装着する差込装着部１６と、発泡断熱材１１を両側表面から押圧する押圧部１７とを形成したので、パッキン１２が発泡断熱材１１の厚みからはみ出すことがなく、しかも、パッキン１２を発泡断熱材１１に容易に装着できる。
【００３３】
また、パッキン１２に、発泡断熱材１１からの離脱を防止する離脱防止部１８を形成したので、発泡断熱材１１に装着したパッキン１２は簡単に離脱することがない。
【実施例２】
【００３４】
次に、実施例２に係る自動販売機の断熱仕切板について説明する。なお、図７は、実施例２に係る自動販売機の断熱仕切板の断面図、図８は、実施例２に係る自動販売機の断熱仕切板の作用を示す図、図９−１は、実施例２の自動販売機の断熱仕切板の変形例１を示す断面図、図９−２は、実施例２の自動販売機の断熱仕切板の変形例２を示す断面図、図９−３は、実施例２の自動販売機の断熱仕切板の変形例３を示す断面図、図９−４は、実施例２の自動販売機の断熱仕切板の変形例４を示す断面図、図９−５は、実施例２の自動販売機の断熱仕切板の変形例５を示す断面図である。
【００３５】
実施例２に係る自動販売機の断熱仕切板２０は、図７に示すように、発泡断熱材２１と、発泡断熱材２１の両側表面に貼着した面材２２とを有している。発泡断熱材２１は、発泡ウレタン樹脂のような硬質発泡体により形成してあり、面材２２は、ポリエチレンシート等の可撓性を有する材料により形成してある。
【００３６】
面材２２は、発泡断熱材２１の端部から延出させてパッキン部２３を形成してある。このパッキン部２３は、面材２２を折り畳んで形成してあり、当接部２４と、折畳部２５とを有している。当接部２４は、内扉６のような相手側部材と当接する部分であり、発泡断熱材２１の厚みとほぼ同一の幅を有している。折畳部２５は、当接部２４が相手側部材と当接した場合に、発泡断熱材２１の内側方向に折り畳まれる部分であり、当接部２４と発泡断熱材２１の端部との間に設けて、発泡断熱材２１の内側方向に谷折りしてある。
【００３７】
次に、実施例２に係る自動販売機の断熱仕切板の作用を説明する。図８（ａ）に示した相手側部材Ｄと断熱仕切板２０と離隔した状態から、図８（ｂ）に示した相手側部材Ｄと断熱仕切板２０とが近接した状態に移行すると、まず、当接部２４が相手側部材Ｄと当接する。そして、さらに、相手側部材Ｄと断熱仕切板２０とが近づくと、図８（ｃ）に示すように、折畳部２５が折り畳まれる。このとき、折畳部２５は面材２２の復元力により、相手側部材Ｄとパッキン部２３との間で気密になる。
【００３８】
なお、図７に示すように、面材２２は発泡断熱材２１の一方の面から延出し、面材２２の端部を開放しているが、面材２２の端部を発泡断熱材２１の他方の面に接合しても良く、また、発泡断熱材２１の両側表面から面材２２を延出し、重なり合うようにしても良い。
【００３９】
また、上述したものに限られず、図９−１に示すように、複数の折畳部２５´を有するものであっても良く、図９−２に示すように、折畳部を有することなく、一方の面材２２´を他方の面材２２とテープ２６により接合し、面材の可撓性を利用して相手側部材との間で気密にするものであっても良い。また、図９−３、図９−４、図９−５に示すように内側に折り込んだ形状を有するものであっても良い。
【００４０】
実施例２に係る自動販売機の断熱仕切板２０によれば、発泡断熱材２１の端部から面材２２を延出させてパッキン部２３を形成し、パッキン部２３の復元力により気密にするので、パッキン部２３が発泡断熱材２１の厚みからはみ出すことがない。
【実施例３】
【００４１】
図１０は、実施例３に係る自動販売機の断熱仕切板の断面図、図１１−１は、実施例３に係る自動販売機の断熱仕切板の変形例１を示す断面図、図１１−２は、実施例３に係る自動販売機の断熱仕切板の変形例２を示す断面図、図１２は、実施例３に係る自動販売機の断熱仕切板の製造工程を示す図、図１３は、実施例３に係る自動販売機の断熱仕切板の製造工程における断熱仕切板を示す断面図、図１４は、実施例３に係る自動販売機の断熱仕切板の製造方法を示す図である。
【００４２】
実施例３に係る自動販売機の断熱仕切板３０は、図１０に示すように、パネル状に形成した発泡断熱材３１と、パッキン３２とを一体成型することにより、構成したものである。発泡断熱材３１は、発泡ウレタン樹脂のような硬質発泡体により形成してあり、発泡断熱材の両側表面は、ポリエチレンシート等の面材３３で被覆してある。パッキン３２は、軟質部３４と硬質部３５とを有している。軟質部３４は、復元力を有する弾性体により形成してあり、内扉６のような相手側部と当接して収容室３，４，５を気密にする密着部となる。硬質部３５は、発泡断熱材３１と一体成型される部分であり、断熱材の厚みよりもやや幅の狭い装着部３６を有している。
【００４３】
実施例３に係る自動販売機の断熱仕切板３０は、発泡断熱材３１とパッキン３２とを一体成型したので、発泡断熱材３１が接着剤の機能を果たし、パッキン３２の発泡断熱材３１からの離脱を防止できる。
【００４４】
なお、パッキンの形状は、図１１−１又は図１１−２に示すように、硬質部３５に係止部３７を設け、パッキン３２の発泡断熱材３１からの離脱を確実に防止するようにしても良い。
【００４５】
次に、図１２を参照して、実施例３に係る自動販売機の断熱仕切板３０の製造方法を説明する。まず、断熱仕切板３０の下面となる面材３３を第１コンベア４１上に供給し、第１コンベア４１上に展開する。次に、展開した面材３３の所定の位置にパッキン３２を載置する。一方、断熱仕切板３０の上面となる面材３３には、表面に発泡液４２を供給し、第１コンベア４１に供給する。第１コンベア４１に供給した面材３３は、パッキン３２を載置してある面材３３と重ね合わされ、第１コンベア４１と第２コンベア４３との間に供給される。第１コンベア４１と第２コンベア４３との間では、重ね合わされた面材３３の内部の発泡液４２が発泡し、図１３に示すように、発泡断熱材３１が所定の厚みで形成される。そして、発泡断熱材３１は、カッター４４により所定の形状に切断し、パッキン３２が露出するように面材３３を切り取って断熱仕切板３０の製造を完了する。
【００４６】
この自動販売機の断熱仕切板３０の製造方法によれば、パッキン３２と発泡断熱材３１とを一体成型した断熱仕切板３０を得ることができる。また、面材３３の供給から断熱仕切板３０の製造完了まで、一貫しているので、効率的に断熱仕切板３０を製造できる。
【００４７】
なお、図１４に示すように、パッキン３２は補助部材４０と予め組み合わせて、下面となる面材３３に載置しても良い。補助部材４０は、パッキン３２の載置を容易にするものであり、パッキン３２の軟質部３４と組み合わせる凹部４０ａが形成してある。そして、発泡断熱材３１を発泡させた後は、軟質部３４から補助部材４０を取り除く。
【００４８】
このように、パッキン３２と補助部材４０とを予め組み合わせて、下面となる面材２２に載置すると、パッキン３２を所定の位置に確実に載置できる。
【実施例４】
【００４９】
図１５は、実施例４に係る自動販売機の断熱仕切板の断面図、図１６−１は、実施例４に係る自動販売機の断熱仕切板の変形例１を示す断面図、図１６−２は、実施例４に係る自動販売機の断熱仕切板の変形例２を示す断面図、図１６−３は、実施例４に係る自動販売機の断熱仕切板の変形例３を示す断面図である。
【００５０】
実施例４に係る自動販売機の断熱仕切板５０は、図１５に示すように、パネル状に形成した発泡断熱材５１と、発泡断熱材５１の両側面を被覆する面材５２と、発泡断熱材５１の端部から延出した面材５２と接合したパッキン５３とを有している。
【００５１】
発泡断熱材５１は、発泡ウレタン樹脂のような硬質発泡体により形成してあり、発泡断熱材５１の両側表面は、ポリエチレンシート等の面材５２を貼着して被覆してある。面材５２は、発泡断熱材５１の端部から延出し、面材５２の内側面には、パッキン５３が接着剤５４により接合してある。
【００５２】
パッキン５３は、軟質部５５と硬質部５６とを有し、軟質部５５は復元力を有する弾性体により形成してあり、内扉６のような相手側部材と当接して、収容室３，４，５を気密にする密着部となる。硬質部５６は、面材５２と接合する部分であり、発泡断熱材５１の厚みよりもやや幅の狭い貼着部５７を有している。
【００５３】
なお、面材５２とパッキン５３とが接合するものであれば、パッキン５３は任意の形状にすることができ、たとえば、図１６−１に示すように、面材５２を挿入する挿入部５８を形成したものであっても良いし、図１６−２に示すように、面材５２をパッキン５３の側面に形成した溝部５９に折り込んだものであっても良い。また、図１６−３に示すように、端部から延出した面材５２を折り畳み、パッキン５３の硬質部５６に形成した凹部６０に挿入して接合したものであっても良い。
【００５４】
実施例４に係る自動販売機の断熱仕切板５０は、発泡断熱材５１の端部から延出した面材５２がパッキン５３と接合しているので、パッキン５３が発泡断熱材５１の厚みからはみ出すことがない。
【産業上の利用可能性】
【００５５】
以上のように、本発明にかかる自動販売機の断熱仕切板、及び自動販売機の断熱仕切板の製造方法は、冷却商品と加温商品とを販売する自動販売機に有用であり、特に、リサイクルに配慮した自動販売機に適している。
【図面の簡単な説明】
【００５６】
【図１】本発明の実施例に係る自動販売機の断熱仕切板を適用する自動販売機の斜視図である。
【図２】パッキンを断熱材に装着した自動販売機の断熱仕切板を示す図である。
【図３】実施例１に係る自動販売機の断熱仕切板の断面図である。
【図４】図３に示した自動販売機の断熱仕切板の組立手順を示す図である。
【図５−１】実施例１の自動販売機の断熱仕切板に適用する断熱材の変形例１を示す断面図である。
【図５−２】実施例１の自動販売機の断熱仕切板に適用する断熱材の変形例２を示す断面図である。
【図６−１】実施例１の自動販売機の断熱仕切板に適用するパッキンの変形例１を示す断面図である。
【図６−２】実施例１の自動販売機の断熱仕切板に適用するパッキンの変形例２を示す断面図である。
【図６−３】実施例１の自動販売機の断熱仕切板に適用するパッキンの変形例３を示す断面図である。
【図７】実施例２に係る自動販売機の断熱仕切板の断面図である。
【図８】実施例２に係る自動販売機の断熱仕切板の作用を示す図である。
【図９−１】実施例２の自動販売機の断熱仕切板の変形例１を示す断面図である。
【図９−２】実施例２の自動販売機の断熱仕切板の変形例２を示す断面図である。
【図９−３】実施例２の自動販売機の断熱仕切板の変形例３を示す断面図である。
【図９−４】実施例２の自動販売機の断熱仕切板の変形例４を示す断面図である。
【図９−５】実施例２の自動販売機の断熱仕切板の変形例５を示す断面図である。
【図１０】実施例３に係る自動販売機の断熱仕切板の断面図である。
【図１１−１】実施例３に係る自動販売機の断熱仕切板の変形例１を示す断面図である。
【図１１−２】実施例３に係る自動販売機の断熱仕切板の変形例２を示す断面図である。
【図１２】実施例３に係る自動販売機の断熱仕切板の製造工程を示す図である。
【図１３】実施例３に係る自動販売機の断熱仕切板の製造工程における断熱仕切板を示す断面図である。
【図１４】実施例３に係る自動販売機の断熱仕切板の製造方法を示す図である。
【図１５】実施例４に係る自動販売機の断熱仕切板の断面図である。
【図１６−１】実施例４に係る自動販売機の断熱仕切板の変形例１を示す断面図である。
【図１６−２】実施例４に係る自動販売機の断熱仕切板の変形例２を示す断面図である。
【図１６−３】実施例４に係る自動販売機の断熱仕切板の変形例３を示す断面図である。
【符号の説明】
【００５７】
１    本体キャビネット
２    外扉
３，４，５    収容室
６    内扉
１０    断熱仕切板
１１    発泡断熱材
１２    パッキン
１３    面材
１４    軟質部
１５    硬質部
１６    差込装着部
１７    押圧部
１７ａ  斜面
１８    離脱防止部
２０    断熱仕切板
２１    発泡断熱材
２２    面材
２３    パッキン部
２４    当接部
２５    折畳部
３０    断熱仕切板
３１    発泡断熱材
３２    パッキン
３３    面材
３４    軟質部
３５    硬質部
３６    装着部
３７    係止部
４０    補助部材
５０    断熱仕切板
５１    発泡断熱材
５２    面材
５３    パッキン
【図１】
2005085038.tif 000003
【図２】
2005085038.tif 000004
【図３】
2005085038.tif 000005
【図４】
2005085038.tif 000006
【図５−１】
2005085038.tif 000007
【図５−２】
2005085038.tif 000008
【図６−１】
2005085038.tif 000009
【図６−２】
2005085038.tif 000010
【図６−３】
2005085038.tif 000011
【図７】
2005085038.tif 000012
【図８】
2005085038.tif 000013
【図９−１】
2005085038.tif 000014
【図９−２】
2005085038.tif 000015
【図９−３】
2005085038.tif 000016
【図９−４】
2005085038.tif 000017
【図９−５】
2005085038.tif 000018
【図１０】
2005085038.tif 000019
【図１１−１】
2005085038.tif 000020
【図１１−２】
2005085038.tif 000021
【図１２】
2005085038.tif 000022
【図１３】
2005085038.tif 000023
【図１４】
2005085038.tif 000024
【図１５】
2005085038.tif 000025
【図１６−１】
2005085038.tif 000026
【図１６−２】
2005085038.tif 000027
【図１６−３】
2005085038.tif 000028